(57)【要約】画像を表示する表示スクリーン(4)と、偏向装置(10)と、複数の電子ビーム(14a-c)を発生する電子発生陰極(22a-c)を具える電子銃(12)とを具える陰極線管(ＣＲＴ)(2)である。当該ＣＲＴ(2))は、表示スクリーン(4)の近傍における電子ビーム(14ａ-ｃ)間の集中角の変化を補償するために、前記複数の電子ビーム(14a-c)のうちの少なくとも第１の電子ビームの軌道を少なくとも前記第１の電子ビームの強度の関数として変化させる電子ビームコントローラを具える。該電子ビームコントローラは電子発生陰極(22a-c)と偏向装置(10)との間に配置される。
2005506663.tif 000002
【特許請求の範囲】
【請求項１】
画像を表示する表示スクリーンと、偏向装置と、複数の電子ビームを発生する電子発生陰極を具える電子銃とを具える陰極線管（ＣＲＴ）において、当該陰極線管は、表示スクリーンの近傍における電子ビーム間の集中角の変化を補償するために、前記複数の電子ビームのうちの少なくとも第１の電子ビームの軌道を少なくとも前記第１の電子ビームの強度の関数として変化させる電子ビームコントローラを具え、該電子ビームコントローラは電子発生陰極と偏向装置との間に配置されていることを特徴とする陰極線管。
【請求項２】
前記電子ビームコントローラは少なくとも１つの電子ビーム指向部を具え、該電子ビーム指向部内では、動作時に、前記複数の電子ビームが電子ビーム間の相互反発により少なくとも前記第１の電子ビームの軌道を変化するような距離に配置されていることを特徴とする請求項１記載の陰極線管。
【請求項３】
前記電子ビームコントローラは、前記電子発生陰極の少なくとも１つの陰極の電圧の関数である電位点に接続された少なくとも１つの電子ビーム再指向装置を具えることを特徴とする請求項１記載の陰極線管。
【請求項４】
前記電子ビーム再指向装置は電極であることを特徴とする請求項３記載の陰極線管。
【請求項５】
前記電極は３次元の突部を含むことを特徴とする請求項４記載の陰極線管。
【請求項６】
前記ビーム再指向電極は電子ビームの運動方向に見て前記電子発生陰極の後の第３の電極であることを特徴とする請求項４または５記載の陰極線管。
【請求項７】
前記電子ビーム再指向装置は電磁コイルであることを特徴とする請求項３記載の陰極線管。
【請求項８】
前記電子ビームコントローラは前記電子銃内の電子発生陰極と主レンズとの間に配置されていることを特徴とする請求項１−７の何れかに記載の陰極線管。
【請求項９】
前記電子ビームコントローラは各ビームのビームクロスオーバの位置に隣接して配置されていることを特徴とする請求項３記載の陰極線管。
【請求項１０】
前記電子銃は共通平面内を延在する電子ビームを発生するように構成し、且つ前記電子ビームコントローラは、前記共通平面内で前記複数の電子ビームの第１及び第２の電子ビームの軌道を少なくとも前記第１の電子ビームの強度の関数として変化させるように構成されていることを特徴とする請求項１−９の何れかに記載の陰極線管。
【請求項１１】
請求項１−１０の何れかに記載の陰極線管用の複数の電子を発生する電子銃。
【請求項１２】
請求項１−１０の何れかに記載の陰極線管を具える表示装置。
【発明の詳細な説明】
【技術分野】
【０００１】
本発明は、画像を表示する表示スクリーンと、偏向装置と、複数の電子ビームを発生する電子発生電極を具える電子銃とを具える陰極線管（ＣＲＴ）に関するものである。本発明は、ＣＲＴ用の電子銃及びＣＲＴを具えた表示装置にも関するものである。
【背景技術】
【０００２】
多くの現在の表示装置は上述のタイプに相当するカラー陰極線管（カラーＣＲＴ）に基づいている。幾つかの新型カラーＣＲＴ、例えばＷＯ９９／３４３９２号に開示されたカラーＣＲＴでは、ＣＲＴの電子ビームの軌道を、電子ビームが色選択電極と表示スクリーンの内面との間の距離の増大に適応するようにダイナミックに変化させている。特に、偏向面の位置における電子ビーム間の距離を、表示スクリーンを横切るビームの偏向の関数、即ち表示スクリーン上の電子ビームの所望のランディング座標の関数として変化させている。
しかし、このカラーＣＲＴ並びに多くの他のタイプのＣＲＴは、表示スクリーン上の表示画像に、白色の純度の変化、即ち低下した白色均一性を生ずる傾向がある。
【発明の開示】
【０００３】
本発明の目的は、ＣＲＴのディスプレイスクリーン上に表示される画像の白色均一性を改善することにある。
この目的は請求項１に記載するＣＲＴによって達成されるとともに、請求項８に記載する電子銃によって達成される。本発明の好適実施例は従属請求項に記載されている。
【０００４】
本発明は、白色均一性の低下の一つの理由は、電子ビームが表示スクリーン上の予定のランディング点に向って集中するにつれて互いに接近するとき互いに反発しあうためである、という発見に基づくものである。電子ビーム相互の反発の結果として、各ビームは表示スクリーンへの不所望なアプローチアングルになり、電子ビームは表示スクリーン上の不正確な位置に到着する。この影響は表示スクリーン上に表示される画像に変色を生ずる。電子ビームは、ビームが低い強度、即ち低いビーム電流であるときより高い強度、即ち高いビーム電流であるときの方が互いに強く反発しあうので、電子ビームの強度が高くなるほど変色が大きくなる。
【０００５】
本発明の第１の特徴によれば、本発明の陰極線管(ＣＲＴ)は、画像を表示する表示スクリーンと、偏向装置と、複数の電子ビームを発生する電子発生陰極を具える電子銃とを具える。前記ＣＲＴは、表示スクリーン近傍における電子ビーム間の集中角（コンバーゼンスアングル）の変化を補償するために、複数の電子ビームのうちの少なくとも第１の電子ビームの軌道を少なくとも前記第１の電子ビームの強度の関数として変化させる電子ビームコントローラも具える。該電子ビームコントローラは電子発生陰極と偏向装置との間に位置する。
【０００６】
少なくとも１つの電子ビームの軌道を少なくとも１つの電子ビームの強度の関数として変化させる電子ビームコントローラをＣＲＴに設けることにより、このＣＲＴシステムは表示スクリーンの近傍で予測されるビーム反発を補償することができるので、電子ビームの強度が変化しても、表示スクリーン近傍における電子ビームの集中角を最適集中角にできるだけ近く維持することができる。
【０００７】
これは、前記電子ビームコントローラを具える電子銃によっても、本発明のＣＲＴを具える表示装置によっても達成される。
【０００８】
電子ビームは主レンズから表示スクリーンへ走行し、前記ビーム反発のために、２つの電子ビーム間の集中角がこの走行中に変化する。本発明では、主レンズは複数の電子ビームを表示スクリーン上の特定の画素を表示する位置に向け集中及び/又は集束する電子光学レンズである。ビーム反発は、表示スクリーン近傍における２つの電子ビーム間の集中角を主レンズ近傍における２つのビーム間の集中角より小さくする効果を有する。また、集中角の変化の結果として、電子ビームはそれらの予定のランディング点に正しくランディングしない。２つのビーム間の集中角の減少を補償するために、電子ビームコントローラは、これらの電子ビームの軌道を、主レンズ近傍における２つのビーム間の集中角及びビーム間距離が電子ビームの強度の関数として増大するように変化させることができるようにする。このようにすると、主レンズ近傍における２つの電子ビーム間の増大した集中角と電子ビームが互いに接近する際の増大する反発の結果として、２つのビーム間の角度が表示スクリーン近傍の所望の角度に近似することになる。
【０００９】
主レンズの近傍において増大した集中角を達成する一つの方法としては、少なくとも前記第１の電子ビームの軌道を変化させる電子ビームコントローラを、前記複数の電子ビームが主レンズ近傍にあるとき前記第１の電子ビームと第２の電子ビームとの間の距離が少なくとも前記第１の電子ビームの強度の関数として変化するように構成する。第２の電子ビームもその軌道が本発明に従って変化される電子ビームとすることができる。
【００１０】
上述したようにビーム間の距離を変化させることにより、２つのビーム間の集中角を変化させることができる。主レンズの通過時におけるビーム間距離が大きくなと主レンズ近傍における集中角が大きくなるので、表示スクリーン近傍におけるビーム反発を補償することができる。
【００１１】
更に、上記の構成は，主レンズから表示スクリーンへまでの走行中における２つの電子ビーム間の平均距離の増大を生ずるので、主レンズから表示スクリーンまでの走行中における電子ビーム間の総相互反発が減少する。その結果として、得られる電子ビームのランディング点と表示スクリーン近傍における電子ビーム間の集中角はあまり妥協しなくてよい。
【００１２】
本発明の好適実施例では、前記電子ビームコントローラは少なくとも１つの電子ビーム指向部を具え、該電子ビーム指向部内では、動作時に、複数の電子ビームが電子ビーム間の相互反発により少なくとも前記第１の電子ビームの軌道を変化するような距離に配置されているものとする。
【００１３】
この実施例では、電子ビーム指向部から出る際の前記電子ビームの方向は電子ビームの相互反発に依存する。その結果として、少なくとも前記第１の電子ビームの方向は電子ビームの強度の関数として変化し、例えば増大するビーム電流は強い相互反発を生じ、従って大きな軌道の変化を生ずる。このようにして、ビームが表示スクリーン近傍で集中する際に存在するビーム反発を補償するためのビーム軌道の自己補正が達成される。
【００１４】
本発明の他の実施例では、前記電子ビームコントローラは、前記電子発生陰極の少なくとも１つの陰極の電圧の関数である電位点に接続された少なくとも１つの電子ビーム再指向装置を具えるものとする。
【００１５】
電子ビーム再指向装置の電圧をビーム電流を制御する電位の関数として変化させることにより、前記複数の電子ビームの少なくとも前記第１の電子ビームの軌道を、電子ビームが表示スクリーン近傍に集中する際に生ずるビーム反発を補償するように調整することができる。例えば、幾つかの電子銃において、ビーム電流を制御する電位は電子ビームを発生する陰極の電圧から得ることができる。
【００１６】
電子ビーム再指向装置は、例えば、電磁コイルまたは電極とすることができる。一つの好適実施例では、再指向装置は、前記複数の電子ビームの少なくとも前記第１の電子ビームのビーム電流を制御する電圧の関数として変化する電位を有する電極とする。この実現例は電磁コイルの実現例より有利であって、コンパクトで丈夫なビーム再指向装置を提供する。
【００１７】
上述した電極は３次元突部を含むものとするのが好ましい。この突部は電極を電子ビームの軌道を変化させるのに一層効果的にする。その理由の一つは、電極の電位が電子銃の長さ方向に大きな距離に亘って電子ビームに影響を与えることができるためである。
【００１８】
本発明の好適実施例では、電子ビームコントローラを電子銃内の電子発生陰極と主レンズとの間に配置する。この配置はＣＲＴの小型化及び頑強化に寄与する。
【００１９】
本発明の更に他の実施例では、電子ビームコントローラを各ビームのビームクロスオーバの位置に隣接して配置する。各電子ビームは陰極を出発してクロスオーバ点に集束され、クロスオーバ点が結像系の物体として作用する。従って、電子ビームコントローラをビームクロスオーバ近接して配置すると、ビーム軌道の変化がほぼ結像系の物体平面で行われる。その結果として、新たなコンバーゼンス誤差が導入されることはない。
【００２０】
本発明の好適実施例では、電子銃は共通平面内を延在する電子ビームを発生するように構成し、且つ前記電子ビームコントローラは、前記共通平面内で前記複数の電子ビームの第１及び第２の電子ビームの軌道を少なくとも前記第１の電子ビームの強度の関数として変化させるように構成する。
【発明を実施するための最良の形態】
【００２１】
本発明を図面を参照して種々の実施例につき更に詳しく説明するが、これらは単なる例示にすぎない。
図１は陰極線管２（ＣＲＴ）を示す。このＣＲＴは本発明に従って変更した任意のタイプの従来のＣＲＴ２とすることができる。このＣＲＴ２は表示装置、例えばテレビジョン装置、コンピュータディスプレイ、広告用ディスプレイ等に設けることができる。
【００２２】
ＣＲＴ２は表示スクリーン４と、コーン部６と、ネック部８と、偏向装置１０を具える。ネック部８は電子ビーム１４ａ−ｃを発生する電子銃１２を具える。
発生された電子ビーム１４ａ−ｃは偏向装置１０により表示スクリーン上の位置１８に向け偏向され、この位置１８は現電子ビームにより表示される画像の１画素に対応する。
通常のＣＲＴのもっと詳細な構成及び機能は当業者に公知であるから、これ以上説明しない。
【００２３】
図２ａ及び２ｂは、従来の電子銃からのインライン構成の電子ビーム１４ａ−ｃと、低いビーム強度のときと高いビーム強度のときのビーム反発の影響をそれぞれ示す。電子ビーム１４ａ−ｃは電子銃で発生され、電子光学主レンズ１６を経てＣＲＴのディスプレイスクリーン（図示せず）に送られる。電子ビーム１４ａ−ｃは表示スクリーン上の所定の位置に向かって集中する。本実施例では、電子ビーム１４ａ−ｃが電子銃１２内に配置された主レンズ１６によって表示スクリーンに集中するように構成されている。電子ビーム１４ａ−ｃをディスプレイに向け集中させる機能を実行するために電子銃の外部に１つ又は複数の電子光学レンズを配置することもできる。本発明においては、このような電子光学レンズも主レンズの一部とみなす。図２ａは低い強度を有する電子ビーム１４ａ−ｃの軌道を示す。表示スクリーンに接近するときのビーム間の反発は小さく、図には何の影響も見えず、表示スクリーン近傍における赤ビーム１４ａと緑ビーム１４ｂとの間の角度はαL1である。従って、白色均一性はあまり低下しない。
【００２４】
図２ｂは高い強度を有するビーム１４ａ−ｃを示す。表示スクリーンに接近するときのビーム１４ａ−ｃ間の反発は強く、図に示すように表示スクリーン近傍における赤ビーム１４ａと緑ビーム１４ｂとの間の角度αH1が小さくなり、αH1＜αL1となる。従って、少なくともビーム１４ａ，ｃは表示スクリーンに、表示面内の予定の位置から離れた位置に到達し、その結果としてスクリーン上の予定の明領域が予定の色で可視化されない。
【００２５】
白色均一性の低下は少なくともすべてのカラーＣＲＴに存在する問題である。また、ビーム反発の影響は、視覚的にも、ビームの位置／角度の変化に関しても、解像度の増大とともにひどくなる。従って、白色均一性の悪化はＣＲＴの解像度が増大するにつれて一層顕著になる問題である。本発明では、電子ビーム１４ａ−ｃの軌道を電子ビーム１４ａ−ｃの強度の関数として変化させることによって改善された白色均一性を達成する。この軌道の変化は電子ビーム１４ａ−ｃの一つのビーム強度の関数として行うこともできる。
【００２６】
次に、図３ａ及び３ｂを参照すると、本発明の好適実施例では、２つの電子ビーム１４ａ，１４ｃの軌道を、主レンズ１６の近傍におけるビーム１４ａ及び１４ｃ間の距離Ｌが１つ又は複数のビームの強度の関数として変化するように変更させる。図３ｂに示すように、ビーム１４ａ及び１４ｃ間の距離Ｌを増大させると、表示スクリーンの近傍におけるビーム１４ａと１４ｂとの間の角度αが図３ａの対応する角度αより大きくなり、これにより、図２ｂにおいて説明した表示スクリーンに向うビームの走行中にビーム反発の増大によって生ずる集中角の変化を補償することができる。また、主レンズから表示スクリーンへのビーム走行中におけるビーム間距離が全体的に増大し、その結果としてビーム反発の影響が減少する。
【００２７】
画像の１点を規定するという目的で電子ビームを表示スクリーンに集中させ衝突させるために互いの方向に向ける直前に電子ビーム間を遠ざける電子ビームの制御は電子銃１２の内部で、外部で、あるいは内部と外部の両方で行うことができる。本発明の好適実施例では、電子銃１２を電子銃内で前記制御を行うように変更する。
【００２８】
本発明の好適実施例では、電子銃は以下の好適実施例の記載に従って変更することができる任意のタイプの電子銃とすることができる。例えば、図４ａに示すような標準の電子銃、または図４ｂに示すような新型の電子銃とすることができる。
【００２９】
図４ａに示す標準電子銃１２は、電子ビームの電子を発生する陰極２２ａ−ｃを具え、陰極２２ａは赤色を決める電子ビーム用、陰極２２ｂは緑色を決める電子ビーム用、陰極２２ｃは青色を決める電子ビーム用である。
【００３０】
更に、電子銃１２は電極Ｇ１，Ｇ２，Ｇ３及びＧ４（グリッドともいう）を具える。一般に、グリッドは電子ビームを案内するとともに制御する孔を有する金属板または一対の連結金属板である。種々のグリッドは、各ビームの電子を少なくとも加速し集束するとともにビームを表示スクリーン上に集束するために特定の電圧に維持される。当業者には、種々のタイプの電子銃に必要とされる特定の電圧が既知である。殆どの電極銃では、各ビームの「クロスオーバ」がＧ１とＧ３との間に与えられる。ビーム内の電子はクロスオーバで集束し、原理的には表示スクリーン上の電子ビームスポットはクロスオーバの像になる。２つのグリッドＧ３及びＧ４とそれらの電圧は、各ビームを表示スクリーン上に集束するとともにこれらの電子ビームを互いの方向に向けて集中させて表示スクリーン上に表示すべき画像の１つの点を決定する電子光学レンズ１６（主レンズという）を形成する。陰極と最初の２つのグリッドＧ１及びＧ２を具える電子銃１２の部分３０は一般に３極管部と呼ばれている。
【００３１】
図４ｂに示すように、新型の標準電子銃１２は、例えばダイナミックアスティグマチズムフォーカス（ＤＡＦ）区分２６を構成する電極Ｇ３及びＧ５の組合せと、ダイナミックビームフォーミング区分（ＤＢＦ）２８を構成する電極Ｇ５及びＧ６の組合せを具えることができる。ＤＡＦ２６は主レンズの飛点収差効果を変化させることができる。ＤＢＦ２８はビームの形状をスクリーン上のビームの予定の位置の関数として変化させるのに使用される。ＤＡＦ２６及びＤＢＦの機能は当業者に公知である。
【００３２】
図５に本発明の一実施例の３極管部３０を示す。３極管部３０は、通常大地に接続され、即ち０Ｖに設定されるグリッドＧ１と、７００Ｖに設定されるグリッドＧ２を具える。更に、３極管部３０はグリッドＧｉを備える。各ビーム電流、従って各ビーム１４ａ−ｃの強度は各陰極の電圧を例えば２０Ｖから１６０Ｖの間で変化させることにより制御される。上記の陰極２２ａ−ｃ及びグリッドＧ１及びＧ２の電圧は陰極駆動を用いる電子銃の標準電圧である。
【００３３】
グリッドＧｉは、ビーム電流を制御するビデオ信号の関数として変化する電圧により駆動する。陰極駆動を用いる本実施例では、Ｇｉの電圧を陰極２２ａ−ｃの電圧の関数として変化させる。Ｇｉの電圧は代表的には０Ｖから３０Ｖの間で変化させる。
【００３４】
Ｇｉの電圧は陰極２２ａ−ｃを駆動するライン２３ａ−ｃに接続されたグリッド電圧制御装置３２により供給する。グリッド電圧制御装置３２は陰極電圧２２ａ−ｃを加算し、対応する信号をグリッドＧｉに供給する。しかし、グリッド電圧制御装置３２は陰極電圧２２ａ−ｃの他の関数に対応する電圧をグリッドＧｉに供給することもできる。
【００３５】
グリッドＧｉには孔３４ａ−ｃが設けられる。孔３４ａ,ｃはグリッドＧ２の孔よりも互いに遠く離して位置させて、外側ビーム１４ａ,ｃ（赤色及び青色）を互いに「引き離す」ようにする。この場合、グリッド電圧制御装置３２により供給されるグリッドＧｉの電圧によりビーム１４ａ,ｂが互いにどの程度引き離されるか決まる。ビーム電流、即ちビーム強度が大きくなると、Ｇｉの電圧が高くなり、グリッドＧｉがより大きくビームを引き離し、主レンズにおけるビーム１４ａ,ｂ間の距離が大きくなる。これが図に描かれており、ビーム１４ａ,ｃは、ビーム電流の和がかなり小さいときに再指向されるビームの方向に対応し、ビーム１４’ａ,ｃはビーム電流の和が大きいときに再指向されるビームの方向に対応する。従って、主レンズにおける電子ビーム間の距離がビーム電流の関数として変化し、図３ａ−ｂと関連して説明したように、白色均一性の悪化を低減することができる。
【００３６】
好適実施例では、図６に概略的に示すとともに図７ａ−ｆに詳細に示すように、図５につき説明した３極管部のグリッドＧｉに３次元の突部３６設ける。突部３６はビームの再指向を一層効果的にする。これは、電子ビームが長い走行距離に亘ってＧｉの電圧により影響されるためである。加えて、孔の一方の側におけるＧ２−Ｇｉ間距離が反対側の距離より小さく、これにより作用が非対称になる。図７ａ−ｆは突部３６の幾つかの例の外観を示す。これらの突部はグリッドと同一の材料とするのが好ましく、グリッドＧｉに電気的に接続する。
【００３７】
本発明の他の実施例では、図５に示す３極管部３０に追加のグリッドＧａを設ける。ＧａにはＧ２と同一の電圧、例えば７００Ｖを供給する。その結果、グリッドＧａはグリッドＧｉにより制御されたビーム偏差（偏り）を増幅する。従って、高いビーム電流に対して強いビーム偏差が達成される。
【００３８】
更に、本発明の更に他の実施例では、図６及び図８に示す３極管部３０を組み合わせ、グリッドＧａもグリッドＧｉ上の突部３６も有する３極管部３０を得る。これを図９に示す。この結果として、電子ビームの再指向が一層効果的になる。従って、グリッド電圧制御装置３２を一層簡単且つ安価にすることができる。
【００３９】
本発明の他の実施例（図１０ａ−ｂ参照）では、電子電流の関数である電子ビームの再指向を電子銃１２の３極管部３０に配置された電子コイル３８によって達成する。本例では、図１０ａの電子銃１２は図４ａに示す電子銃に対応し、図１０ｂの電子銃１２は図４ｂに示す電子銃に対応する。電磁コイル３８はＴＶ受像機内の共通装置である走査速度変調コイルから得ることができる。この電磁コイルの磁界は図５、図６及び図８のグリッド電圧制御装置３２に対応する制御装置４０によって制御される。コイル３８の磁界は、図５と関連して述べたように、主レンズにおける電子ビーム間の距離が電子ビーム電流とともに増大するように電子ビームを再指向させる。
【００４０】
図１１は更に他の実施例を示す。本例は、例えば図４に示す電子銃の変形例とすることができる。本例では、陰極２２ａ−ｃが標準構成の場合より互いに近接して位置し、グリッドＧ１及びＧ２がこの新しい電子ビーム源に関連して僅かに調整されている。グリッドＧ１及びＧ２は図１１に示すように僅かに湾曲させることができる。陰極は、発生電子ビーム１４ａ−ｃ間の相互反発により電子ビーム１４ａ−ｃが離間されるような間隔に配置され、これは高いビーム電流ほど強くなる作用である。電子ビーム１４ａ−ｃは電子銃１２の限定された電子ビーム指向区域４２内を前記間隔で走行するのが好ましい。かくして、電子ビーム１４ａ−ｃの方向及び間隔が現ビーム電流に従って自動的に調整される。従って、主レンズ１６における電子ビーム間の距離Ｌ（図３ａ−ｂ参照）が電子ビーム１４ａ−ｃ間の固有の相互反発により達成される。更に、電子ビーム１４ａ−ｃは、ビームクロスオーバに極めて接近するときに相互反発を受けるようにするのが好ましい。これは、ビームの偏差がほぼ主レンズの物体平面で行われることを意味する。その結果として，主レンズはビームのコンバーゼンスを自動的に保全する。
【００４１】
好適実施例を含む全ての実施例において、電子ビームはビームクロスオーバに近接する電子銃の部分でビーム電流の関数として再指向される。従って、図示の実施例では、電子ビーム１４ａ−ｃが、これらの電子ビームの走行方向において、Ｇ２に続く最初のグリッドを通過する前に、ビーム電流の関数として再指向される。従って、ビームの偏差はほぼ主レンズの物体平面で行われる。その結果として、主レンズはビームのコンバーゼンスを自動的に保全する。
【００４２】
本発明は図４ａ及び図４ｂに示す２つのタイプの電子銃に限定されず、当業者に既知の種々の構成及び機能を有する電子銃に実施することができる。
以上本発明を種々の実施例について説明したが、本発明の精神及び範囲を逸脱することなく多くの変更が可能であり、当業者に明らかな変更も全て本発明の範囲に含まれる。
【図面の簡単な説明】
【００４３】
【図１】本発明の好適実施例を実施し得る通常のＣＲＴの概略図である。
【図２】ａは低いビーム電流の電子ビームを発生する従来の電子銃の概略平面図であり、
ｂは高いビーム電流の電子ビームを発生する従来の電子銃の概略平面図である。
【図３】ａは低いビーム電流の電子ビームを発生する本発明の好適実施例の電子銃の概略平面図であり、
ｂは高いビーム電流の電子ビームを発生する本発明の好適実施例の電子銃の概略平面図である。
【図４】ａは従来の標準の電子銃の概略平面図であり、
ｂは従来の新型の電子銃の概略平面図である。
【図５】本発明の一実施例の電子銃内の３極管部の概略平面図である。
【図６】本発明の好適実施例の電子銃内の３極管部の概略平面図である。
【図７】ａ−ｆは図６の３極管部のグリッド上の３次元突部の外観を示す概略図である。
【図８】本発明の他の実施例の電子銃内の３極管部の概略平面図である。
【図９】本発明の更に他の実施例の電子銃内の３極管部の概略平面図である。
【図１０】ａは、磁気コイルを用いて従来の標準電子銃内の電子ビームの軌道を変化させる本発明の実施例の概略平面図であり、
ｂは、磁気コイルを用いて従来の新型電子銃内の電子ビームの軌道を変化させる本発明の実施例の概略平面図である。
【図１１】電子ビームの相互反発を用いて電子ビームの軌道の変化を達成する本発明の他の実施例の概略平面図である。
【国際公開パンフレット】
2005506663.tif 000003
2005506663.tif 000004
2005506663.tif 000005
2005506663.tif 000006
2005506663.tif 000007
2005506663.tif 000008
2005506663.tif 000009
2005506663.tif 000010
2005506663.tif 000011
2005506663.tif 000012
2005506663.tif 000013
2005506663.tif 000014
2005506663.tif 000015
2005506663.tif 000016
2005506663.tif 000017
2005506663.tif 000018
2005506663.tif 000019
2005506663.tif 000020
2005506663.tif 000021
2005506663.tif 000022
2005506663.tif 000023
【国際調査報告】
2005506663.tif 000024
2005506663.tif 000025
2005506663.tif 000026